(57)【要約】【課題】有限である通信リソースを効率的に用いることを可能とする基地局及び移動局を提供する。【解決手段】セル２０内に在圏する移動局３０と通信を行う基地局１０が、セル２０のサイズを規定するブロードキャスト信号（例えば、ＤＬ−ＭＡＰ及びＵＬ−ＭＡＰ）を送信する送信部１４と、セル２０内の電波状態を測定する電波状態測定部１２と、電波状態測定部１２によって測定された電波状態に応じて、ブロードキャスト信号の伝送レートを制御する伝送レート制御部１３とを備える。【選択図】図４
2008258971.tif 000002
【特許請求の範囲】
【請求項１】
セル内に在圏する移動局と通信を行う基地局であって、
前記セルのサイズを規定するブロードキャスト信号を送信する送信部と、
前記セル内の輻輳状態を測定する測定部と、
前記測定部によって測定された前記輻輳状態に応じて、前記ブロードキャスト信号の信号形式を設定する設定部とを備えることを特徴とする基地局。
【請求項２】
前記測定部は、前記セル内の電波状態を前記輻輳状態として測定し、
前記設定部は、
前記電波状態が良好である場合に、前記ブロードキャスト信号の到達範囲が第１到達範囲となる第１送信パラメータを前記ブロードキャスト信号の送信パラメータとして設定し、
前記電波状態が劣悪である場合に、前記ブロードキャスト信号の到達範囲が前記第１到達範囲よりも狭い第２到達範囲となる第２送信パラメータを前記ブロードキャスト信号の送信パラメータとして設定することを特徴とする請求項１に記載の基地局。
【請求項３】
前記送信部は、前記ブロードキャスト信号の到達範囲が第１到達範囲となる第１送信パラメータ、又は、前記ブロードキャスト信号の到達範囲が前記第１到達範囲よりも狭い第２到達範囲となる第２送信パラメータに従って前記ブロードキャスト信号を所定周期で送信し、
前記測定部は、前記セル内の電波状態を前記輻輳状態として測定し、
前記設定部は、
前記電波状態が良好である場合に、前記第２送信パラメータに従って送信する前記ブロードキャスト信号の送信頻度を第１頻度に設定し、
前記電波状態が劣悪である場合に、前記第２送信パラメータに従って送信する前記ブロードキャスト信号の送信頻度を前記第１頻度よりも高い第２頻度に設定することを特徴とする請求項１に記載の基地局。
【請求項４】
前記移動局に送信される送信データを蓄積する送信バッファをさらに備え、
前記測定部は、前記送信バッファに蓄積された前記送信データの量を前記輻輳状態として測定し、
前記設定部は、
前記送信データの量が所定閾値未満である場合に、前記ブロードキャスト信号の到達範囲が第１到達範囲となる第１送信パラメータを前記ブロードキャスト信号の送信パラメータとして設定し、
前記送信データの量が所定閾値以上である場合に、前記ブロードキャスト信号の到達範囲が前記第１到達範囲よりも狭い第２到達範囲となる第２送信パラメータを前記ブロードキャスト信号の送信パラメータとして設定することを特徴とする請求項１に記載の基地局。
【請求項５】
前記移動局に送信される送信データを蓄積する送信バッファをさらに備え、
前記送信部は、前記ブロードキャスト信号の到達範囲が第１到達範囲となる第１送信パラメータ、又は、前記ブロードキャスト信号の到達範囲が前記第１到達範囲よりも狭い第２到達範囲となる第２送信パラメータに従って前記ブロードキャスト信号を所定周期で送信し、
前記測定部は、前記送信バッファに蓄積された前記送信データの量を前記輻輳状態として測定し、
前記設定部は、
前記送信データの量が所定閾値未満である場合に、前記第２送信パラメータに従って送信する前記ブロードキャスト信号の送信頻度を第１頻度に設定し、
前記送信データの量が所定閾値以上である場合に、前記第２送信パラメータに従って送信する前記ブロードキャスト信号の送信頻度を前記第１頻度よりも高い第２頻度に設定することを特徴とする請求項１に記載の基地局。
【請求項６】
前記第２送信パラメータに従って送信される前記ブロードキャスト信号を受信可能な前記移動局について、前記前記第１送信パラメータに従って送信される前記ブロードキャスト信号に対する応答信号の送信を制限する制限部をさらに備えることを特徴とする請求項３又は請求項５に記載の基地局。
【請求項７】
前記ブロードキャスト信号は、上り方向信号及び下り方向信号のフォーマットを示す信号であることを特徴とする請求項１に記載の基地局。
【請求項８】
セル内に設けられた基地局と通信を行う移動局であって、
前記セルのサイズを規定するブロードキャスト信号を受信する受信部と、
前記ブロードキャスト信号に対応する応答信号を前記基地局に送信する送信部とを備え、
前記ブロードキャスト信号は、前記ブロードキャスト信号の到達範囲が第１到達範囲となる第１送信パラメータ、又は、前記ブロードキャスト信号の到達範囲が前記第１到達範囲よりも狭い第２到達範囲となる第２送信パラメータに従って送信されており、
前記送信部は、前記第１送信パラメータ及び前記第２送信パラメータに従って送信される前記ブロードキャスト信号を受信する場合には、前記第１送信パラメータに従って送信される前記ブロードキャスト信号に対応する前記応答信号を送信せずに、前記第２送信パラメータに従って送信される前記ブロードキャスト信号に対応する前記応答信号を送信することを特徴とする移動局。
【発明の詳細な説明】
【技術分野】
【０００１】
本発明は、セル内に在圏する移動局と通信を行う基地局、及び、セル内に設けられた基地局と通信を行う移動局に関する。
【背景技術】
【０００２】
従来、複数のセルをそれぞれ管理する複数の基地局を備えた通信システムが一般的に知られている。移動局は、複数のセル間を移動しながら、自局が在圏するセルを管理する基地局と通信を行う。
【０００３】
ここで、新たに設置される基地局が管理するセルのサイズ（セル半径）は、新たに設置される基地局の周辺状況を考慮して設計される（セル設計）。周辺状況としては、新たに設置される基地局の周辺に設けられたセル内のトラフィック量、新たに設置される基地局の周辺に設けられたセルのサイズなどである。
【０００４】
移動局は、基地局が送信するブロードキャスト信号を受信することによって、基地局と通信を行う上で必要な情報を取得する。従って、セルのサイズは、基地局が送信するブロードキャスト信号の到達範囲によって規定される。ブロードキャスト信号の到達範囲は、ブロードキャスト信号の信号形式（送信電力、変調方法や符号化方法など）によって変動する。
【０００５】
従って、セル設計によってセルのサイズが定められた場合には、セルのサイズを一定に保つために、ブロードキャスト信号の信号形式は固定的であることが一般的である。
【０００６】
なお、移動局と基地局との間で個別に設定される個別チャネルについては、セルのサイズに影響を与えないため、個別チャネルの信号形式を変更する技術が提案されていることに留意すべきである（例えば、特許文献１）。
【特許文献１】特開２００５−５７７５８号公報（請求項１、〔００６３〕〜〔００７６〕、図５など）。
【発明の開示】
【発明が解決しようとする課題】
【０００７】
上述したように、セルのサイズを規定するブロードキャスト信号の信号形式は、セルのサイズを一定に保つために固定的である。これによって、基地局と移動局との間における電波状況によっては、通信リソースが効率的に用いられない場合がある。
【０００８】
例えば、基地局と移動局との間における電波状況が悪化している場合には、基地局と移動局との間で行われる通信量が多いと考えられる。しかしながら、通信リソースが有限であるため、データ信号を無制限に増加することができない。
【０００９】
一方で、基地局と移動局との間における電波状況が悪化している場合には、基地局から離れた移動局が基地局からデータ信号を受信することが難しく、データ信号の送信に用いる通信リソースが無駄になる可能性がある。
【００１０】
そこで、本発明は、上述した課題を解決するためになされたものであり、有限である通信リソースを効率的に用いることを可能とする基地局及び移動局を提供することを目的とする。
【課題を解決するための手段】
【００１１】
本発明の一の特徴は、セル内に在圏する移動局と通信を行う基地局が、前記セルのサイズを規定するブロードキャスト信号（例えば、ＤＬ−ＭＡＰ及びＵＬ−ＭＡＰ）を送信する送信部（送信部１４）と、前記セル内の輻輳状態を測定する測定部（電波状態測定部１２、システム負荷判定部１２Ａ）と、前記測定部によって測定された前記電波状態に応じて、前記ブロードキャスト信号の信号形式を設定する設定部（伝送レート制御部１３）とを備えることを要旨とする。
【００１２】
かかる特徴によれば、設定部は、測定部によって測定された輻輳状態に応じて、セルのサイズを規定するブロードキャスト信号の信号形式を設定する。すなわち、基地局は、セル内の輻輳状態に応じてセルのサイズを変更する。これによって、セル内の輻輳状態が劣悪である場合に、基地局からの距離が遠い移動局よりも、基地局からの距離が近い移動局を優遇する制御が可能となる。
【００１３】
ここで、セル内の輻輳状態が劣悪である場合には、セル設計などによって定められたセルのサイズを維持しても、基地局からの距離が遠い移動局が通信を行うことが困難であることに留意すべきである。
【００１４】
従って、基地局からの距離が遠い移動局よりも、基地局からの距離が近い移動局を優遇することによって、有限である通信リソースを効率的に用いることができる。
【００１５】
本発明の一の特徴は、上述した一の特徴において、前記測定部が、前記セル内の電波状態を前記輻輳状態として測定し、前記設定部が、前記電波状態が良好である場合に、前記ブロードキャスト信号の到達範囲が第１到達範囲となる第１送信パラメータを前記ブロードキャスト信号の送信パラメータとして設定し、前記電波状態が劣悪である場合に、前記ブロードキャスト信号の到達範囲が前記第１到達範囲よりも狭い第２到達範囲となる第２送信パラメータを前記ブロードキャスト信号の送信パラメータとして設定することを要旨とする。
【００１６】
本発明の一の特徴は、上述した一の特徴において、前記送信部が、前記ブロードキャスト信号の到達範囲が第１到達範囲となる第１送信パラメータ、又は、前記ブロードキャスト信号の到達範囲が第１到達範囲よりも狭い第２到達範囲となる第２送信パラメータに従って前記ブロードキャスト信号を所定周期で送信し、前記測定部が、前記セル内の電波状態を前記輻輳状態として測定し、前記設定部が、前記電波状態が良好である場合に、前記第２送信パラメータに従って送信する前記ブロードキャスト信号の送信頻度を第１頻度に設定し、前記電波状態が劣悪である場合に、前記第２送信パラメータに従って送信する前記ブロードキャスト信号の送信頻度を前記第１頻度よりも高い第２頻度に設定することを要旨とする。
【００１７】
本発明の一の特徴は、上述した一の特徴において、前記移動局に送信される送信データを蓄積する送信バッファを基地局がさらに備え、前記測定部が、前記送信バッファに蓄積された前記送信データの量を前記輻輳状態として測定し、前記設定部が、前記送信データの量が所定閾値未満である場合に、ブロードキャスト信号の到達範囲が第１到達範囲となる第１送信パラメータを前記ブロードキャスト信号の送信パラメータとして設定し、前記送信データの量が所定閾値以上である場合に、前記ブロードキャスト信号の到達範囲が第１到達範囲よりも狭い第２到達範囲となる第２送信パラメータを前記ブロードキャスト信号の送信パラメータとして設定することを要旨とする。
【００１８】
本発明の一の特徴は、上述した一の特徴において、前記移動局に送信される送信データを蓄積する送信バッファを基地局がさらに備え、前記送信部が、前記ブロードキャスト信号の到達範囲が第１到達範囲となる第１送信パラメータ、又は、前記ブロードキャスト信号の到達範囲が第１到達範囲よりも狭い第２到達範囲となる第２送信パラメータに従って前記ブロードキャスト信号を所定周期で送信し、前記測定部が、前記送信バッファに蓄積された前記送信データの量を前記輻輳状態として測定し、前記設定部が、前記送信データの量が所定閾値未満である場合に、前記第２送信パラメータに従って送信する前記ブロードキャスト信号の送信頻度を第１頻度に設定し、前記送信データの量が所定閾値以上である場合に、前記第２送信パラメータに従って送信する前記ブロードキャスト信号の送信頻度を前記第１頻度よりも高い第２頻度に設定することを特徴とする請求項１に記載の基地局。
【００１９】
本発明の一の特徴は、上述した一の特徴において、前記第２送信パラメータに従って送信される前記ブロードキャスト信号を受信可能な前記移動局について、前記第１送信パラメータに従って送信される前記ブロードキャスト信号に対する応答信号の送信を制限する制限部を基地局がさらに備えることを要旨とする。
【００２０】
本発明の一の特徴は、上述した一の特徴において、前記ブロードキャスト信号が、上り方向信号（上りバースト）及び下り方向信号（下りバースト）のフォーマットを示す信号（ＵＬ−ＭＡＰ及びＤＬ−ＭＡＰ）であることを要旨とする。
【００２１】
本発明の一の特徴は、セル内に設けられた基地局と通信を行う移動局が、前記セルのサイズを規定するブロードキャスト信号を受信する受信部と、前記ブロードキャスト信号に対応する応答信号を前記基地局に送信する送信部とを備え、前記ブロードキャスト信号は、前記ブロードキャスト信号の到達範囲が第１到達範囲となる第１送信パラメータ、又は、前記ブロードキャスト信号の到達範囲が前記第１到達範囲よりも狭い第２到達範囲となる第２送信パラメータに従って送信されており、前記送信部は、前記第１送信パラメータ及び前記第２送信パラメータに従って送信される前記ブロードキャスト信号を受信する場合には、前記第１送信パラメータに従って送信される前記ブロードキャスト信号に対応する前記応答信号を送信せずに、前記第２送信パラメータに従って送信される前記ブロードキャスト信号に対応する前記応答信号を送信することを要旨とする。
【発明の効果】
【００２２】
本発明によれば、通信リソースを効率的に用いることを可能とする基地局及び移動局を提供することができる。
【発明を実施するための最良の形態】
【００２３】
以下において、本発明の実施形態に係る通信システムについて、図面を参照しながら説明する。なお、以下の図面の記載において、同一又は類似の部分には、同一又は類似の符号を付している。
【００２４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２５】
［第１実施形態］
（通信システムの概略）
以下において、第１実施形態に係る通信システムの概略について、図面を参照しながら説明する。図１は、第１実施形態に係る通信システムの概略を示す図である。
【００２６】
図１に示すように、通信システムは、複数のセル２０（セル２０Ａ及びセル２０Ｂ）をそれぞれ管理する複数の基地局１０（基地局１０Ａ及び基地局１０Ｂ）を備える。各セル２０内には、複数の移動局３０（移動局３０Ａ〜移動局３０Ｄ）が在圏する。各移動局３０は、複数のセル２０間を移動する。
【００２７】
ここで、基地局１０は、セル２０のサイズ（セル半径）を規定するブロードキャスト信号を所定周期で送信することに留意すべきである。セル２０のサイズは、セル設計などによって予め定められており、ブロードキャスト信号の到達範囲によって規定される。
【００２８】
基地局１０は、セル２０内の電波状態に応じて、セル２０の実質的なサイズを変更する。ここで、電波状態は、他セル（又は、他セクタ）から自セル（又は、自セクタ）が受ける干渉量であり、基地局１０又は移動局３０によって測定される。また、干渉量は、自セル（又は、自セクタ）内における移動局３０の位置に応じて補正される。具体的には、基地局１０は、ブロードキャスト信号の送信パラメータを変更することによって、セル２０の実質的なサイズを変更する。
【００２９】
第１実施形態では、ブロードキャスト信号の変調方式や符号化率を送信パラメータとして変更することによって、ブロードキャスト信号の伝送レートが変更されるケースについて説明する。
【００３０】
例えば、ブロードキャスト信号の伝送レートを高くすると、ブロードキャスト信号の到達範囲が狭くなるため、セル２０のサイズが小さくなる。一方で、ブロードキャスト信号の伝送レートを低くすると、ブロードキャスト信号の到達範囲が広くなるため、セル２０のサイズが大きくなる。
【００３１】
例えば、基地局１０は、セル２０内の電波状態が良好である場合には、セル設計などによって定められたセル２０のサイズを維持することが可能な第１伝送レートをブロードキャスト信号の伝送レートとして設定する。例えば、基地局１０は、ブロードキャスト信号の変調方法をＱＰＳＫに設定する。
【００３２】
一方で、基地局１０は、セル２０内の電波状態が劣悪である場合には、第１伝送レートよりも高い第２伝送レートをブロードキャスト信号の伝送レートとして設定する。例えば、基地局１０は、ブロードキャスト信号の変調方法を１６ＱＡＭに設定する。
【００３３】
（フレーム構成の一例）
以下において、第１実施形態に係るフレーム構成の一例について、図面を参照しながら説明する。図２及び図３は、第１実施形態に係るフレーム構成の一例を示す図である。また、本明細書では、通信システムがＷｉＭＡＸに対応するシステムであることを想定して説明するが、これに限定されるものではなく、通信システムが他のシステムであってもよいことは勿論である。
【００３４】
以下においては、複数のタイムスロット（Ｋ〜Ｋ＋８）と複数のサブチャネル（Ｓｃｈ＃１〜Ｓｃｈ＃ｎ）とによって定められる領域を有するフレームの構成について例示することに留意すべきである。
【００３５】
図２は、セル２０内の電波状態が良好である場合におけるフレーム構成を示す図であり、図３は、セル２０内の電波状態が劣悪である場合におけるフレーム構成を示す図である。
【００３６】
図２に示すように、タイムスロットＫには、フレームの開始を検出するためのプリアンブルが割り当てられる。タイムスロットＫ＋１には、下りバーストのプロファイルを規定するフレーム制御ヘッダ（ＦＣＨ；Ｆｒａｍｅ  Ｃｏｎｔｒｏｌ  Ｈｅａｄｅｒ）、下り方向のバースト（下りバースト）の割り当て方法などを示すＤＬ−ＭＡＰが割り当てられる。タイムスロットＫ＋２の一部には、上り方向のバースト（上りバースト）の割り当て方法などを示すＵＬ−ＭＡＰが割り当てられる。残りの部分には、各移動局３０宛てに送信される下りバーストが割り当てられる。
【００３７】
ここで、ＤＬ−ＭＡＰ及びＵＬ−ＭＡＰは、移動局３０が基地局１０と通信を行う上で必要な情報であり、ブロードキャストで送信される信号である。従って、第１実施形態では、ＤＬ−ＭＡＰ及びＵＬ−ＭＡＰは、セル２０のサイズを規定するブロードキャスト信号である。
【００３８】
図２では、ブロードキャスト信号の伝送レート（変調方法）は、セル設計などによって定められたセル２０のサイズを維持する可能な第１伝送レート（例えば、ＱＰＳＫ）である。
【００３９】
これに対して、図３では、ブロードキャスト信号の伝送レート（変調方法）は、第１伝送レートよりも高い第２伝送レート（例えば、８ＰＳＫや１６ＱＡＭ）である。
【００４０】
従って、ＤＬ−ＭＡＰ及びＵＬ−ＭＡＰに割り当てる領域を削減することによって、下りバーストを割り当て可能な領域を増加することができる。図３に示すように、例えば、下りバースト＃１及び下りバースト＃４を斜線で示した領域に割り当てることが可能である。
【００４１】
（基地局の構成）
以下において、第１実施形態に係る基地局の構成について、図面を参照しながら説明する。図４は、第１実施形態に係る基地局１０の構成を示すブロック図である。
【００４２】
図４に示すように、基地局１０は、受信部１１と、電波状態測定部１２と、伝送レート制御部１３と、送信部１４とを有する。
【００４３】
受信部１１は、制御信号やデータ信号を含む上りバーストやレンジング信号などを移動局３０から受信する。レンジング信号は、移動局３０が通信を開始する際に、信号の送信タイミングや信号の送信電力を制御するために、移動局３０から基地局１０に送信される信号である。
【００４４】
電波状態測定部１２は、セル２０内の電波状態を測定する。セル２０内の電波状態は、他セルから受信される他セル干渉波の受信電力から測定される。ここで、上り方向通信における電波状態は、基地局１０によって測定される。一方で、下り方向通信における電波状態は、セル２０内に在圏する移動局３０によって測定された上で、移動局３０から基地局１０に報告される。
【００４５】
セル２０内の電波状態は、他セルから受信される他セル干渉波の受信電力だけではなく、セル２０内で現在通信を行っている移動局３０から受信する上りバーストの受信電力を考慮して測定されてもよい。
【００４６】
伝送レート制御部１３は、セル２０内の電波状態に応じて、ブロードキャスト信号（ＤＬ−ＭＡＰ及びＵＬ−ＭＡＰ）の伝送レート（変調方法）を制御する。
【００４７】
具体的には、伝送レート制御部１３は、セル２０内の電波状態が所定閾値（Ｔｈ１）以上である場合には、ブロードキャスト信号の伝送レート（変調方法）として、伝送レートＲ１（例えば、ＱＰＳＫ）を設定する（図５を参照）。ここで、伝送レートＲ１は、セル設計などによって定められたセル２０のサイズを維持することが可能な伝送レートであることに留意すべきである。
【００４８】
伝送レート制御部１３は、セル２０内の電波状態が所定閾値（Ｔｈ２）以上所定閾値（Ｔｈ１）未満である場合には、ブロードキャスト信号の伝送レート（変調方法）として、伝送レートＲ１よりも高い伝送レートＲ２（例えば、８ＰＳＫ）を設定する（図５を参照）。
【００４９】
伝送レート制御部１３は、セル２０内の電波状態が所定閾値（Ｔｈ２）未満である場合には、ブロードキャスト信号の伝送レート（変調方法）として、伝送レートＲ２よりも高い伝送レートＲ３（例えば、１６ＱＡＭ）を設定する（図５を参照）。
【００５０】
送信部１４は、所定周期でブロードキャスト信号（ＤＬ−ＭＡＰ及びＵＬ−ＭＡＰ）を送信する。ここで、送信部１４は、伝送レート制御部１３によって設定された伝送レートでブロードキャスト信号を送信することに留意すべきである。
【００５１】
（基地局の動作）
以下において、第１実施形態に係る基地局の動作について、図面を参照しながら説明する。図６は、第１実施形態に係る基地局１０の動作を示すフロー図である。
【００５２】
図６に示すように、ステップ１０において、基地局１０は、セル２０内の電波状態を測定する。
【００５３】
ステップ２０において、基地局１０は、セル２０内の電波状態が所定閾値（Ｔｈ１）以上であるか否かを判定する。基地局１０は、電波状態が所定閾値（Ｔｈ１）以上である場合には、ステップ４０の処理に移り、電波状態が所定閾値（Ｔｈ１）未満である場合には、ステップ３０の処理に移る。
【００５４】
ステップ３０において、基地局１０は、セル２０内の電波状態が所定閾値（Ｔｈ２）以上であるか否かを判定する。基地局１０は、電波状態が所定閾値（Ｔｈ２）以上である場合には、ステップ５０の処理に移り、電波状態が所定閾値（Ｔｈ２）未満である場合には、ステップ６０の処理に移る。
【００５５】
ステップ４０において、基地局１０は、ブロードキャスト信号の伝送レートとして、伝送レートＲ１（＜伝送レートＲ２、伝送レートＲ３）を設定する。
【００５６】
ステップ５０において、基地局１０は、ブロードキャスト信号の伝送レートとして、伝送レートＲ２（＜伝送レートＲ３）を設定する。
【００５７】
ステップ６０において、基地局１０は、ブロードキャスト信号の伝送レートとして、伝送レートＲ３を設定する。
【００５８】
ステップ７０において、基地局１０は、ステップ４０〜ステップ６０のいずれかで設定された伝送レートでブロードキャスト信号を送信する。
【００５９】
ここで、上述した図２及び図３で例示したように、ブロードキャスト信号は、各移動局３０宛ての下りバーストとともに送信されることに留意すべきである。また、ブロードキャスト信号の伝送レートが高ければ高いほど、各移動局３０宛ての下りバーストを増加するが可能であることに留意すべきである。
【００６０】
なお、自セルの送信パラメータを設定する際に、隣接セルの送信パラメータの設定状況を用いて、自セルの送信パラメータを決定してもよい。
【００６１】
（作用及び効果）
第１実施形態に係る基地局１０によれば、基地局１０は、セル２０の電波状態が劣悪である場合に、ブロードキャスト信号の伝送レートを増加する。
【００６２】
これによって、セル２０の電波状態が劣悪である場合に、セル設計などによって定められたサイズよりもセル２０のサイズが小さくなるため、基地局１０からの距離が遠い移動局３０が通信を行うことができなくなる。一方で、ブロードキャスト信号の伝送レートの増加によって、下りバーストに割り当て可能な領域が増大する。
【００６３】
ここで、セル２０の電波状態が劣悪である場合には、セル設計などによって定められたセル２０のサイズを維持しても、基地局１０からの距離が遠い移動局３０が通信を行うことが困難であり、これらの移動局３０に対して通信リソースを割り当てると、セル２０全体の周波数利用効率の低下を招くことに留意すべきである。
【００６４】
従って、基地局１０からの距離が遠い移動局３０が通信できなくなったとしても、基地局１０からの距離が近い移動局３０宛ての下りバーストに割り当て可能な領域を増加した方が、有限である通信リソースを有効に用いることができる。
【００６５】
さらに、上述した動作によって通信を行うことができなくなった移動局３０（基地局１０からの距離が遠い移動局３０）は、周辺セルや他の通信システムに収容されることが好ましい。
【００６６】
［第２実施形態］
以下において、第２実施形態に係る基地局１０について図面を参照しながら説明する。以下においては、上述した第１実施形態と第２実施形態との相違点について主として説明する。
【００６７】
具体的には、上述した第１実施形態では、基地局１０は、セル２０内の電波状態に応じて、ブロードキャスト信号の伝送レートを制御する。
【００６８】
一方で、第２実施形態では、基地局１０は、低伝送レート又は高伝送レートでブロードキャスト信号を所定周期で送信する。また、基地局１０は、セル２０内の電波状態に応じて、高伝送レートでブロードキャスト信号を送信する頻度を制御する。
【００６９】
（基地局の構成）
以下において、第２実施形態に係る基地局の構成について、図面を参照しながら説明する。図７は、第２実施形態に係る基地局１０の構成を示すブロック図である。なお、図７では、上述した図４と同様の構成について同様の符号を付していることに留意すべきである。
【００７０】
図７に示すように、基地局１０は、伝送レート制御部１３に代えて、送信頻度制御部１５と、伝送レート制御部１６とを有する。
【００７１】
送信頻度制御部１５は、電波状態測定部１２によって測定されたセル２０内の電波状態に応じて、ブロードキャスト信号を高伝送レートで送信する頻度を制御する。
【００７２】
具体的には、送信頻度制御部１５は、セル２０内の電波状態が所定閾値（Ｔｈ１）以上である場合には、ブロードキャスト信号を高伝送レートで送信する頻度として、送信頻度Ｆ１（＝「０」）を設定する（図８を参照）。すなわち、ブロードキャスト信号の全ては、低伝送レートで送信される。ここで、低伝送レートは、セル設計などによって定められたセル２０のサイズを維持することが可能な伝送レートであることに留意すべきである。
【００７３】
送信頻度制御部１５は、セル２０内の電波状態が所定閾値（Ｔｈ２）以上所定閾値（Ｔｈ１）未満である場合には、ブロードキャスト信号を高伝送レートで送信する頻度として、送信頻度Ｆ１よりも高い送信頻度Ｆ２を設定する（図８を参照）。
【００７４】
送信頻度制御部１５は、セル２０内の電波状態が所定閾値（Ｔｈ２）未満である場合には、ブロードキャスト信号を高伝送レートで送信する頻度として、送信頻度Ｆ２よりも高い送信頻度Ｆ３を設定する（図８を参照）。
【００７５】
伝送レート制御部１６は、送信頻度制御部１５によって設定された頻度に応じて、低伝送レートと高伝送レートとを切り替える。
【００７６】
（送信頻度制御の概念）
以下において、第２実施形態に係る送信頻度制御の概念について、図面を参照しながら説明する。図９〜図１１は、第２実施形態に係る送信頻度制御の概念を示す図である。
【００７７】
最初に、セル２０内の電波状態が所定閾値（Ｔｈ１）以上である場合について説明する。図９に示すように、ブロードキャスト信号が高伝送レートで送信される頻度は、送信頻度Ｆ１（＝「０」）である。すなわち、全てのブロードキャスト信号は低伝送レートで送信される。低伝送レートは、上述したように、セル設計などによって定められたセル２０のサイズを維持することが可能な伝送レートである。
【００７８】
次に、セル２０内の電波状態が所定閾値（Ｔｈ２）以上所定閾値（Ｔｈ１）未満である場合について説明する。図１０に示すように、ブロードキャスト信号が高伝送レートで送信される頻度は、送信頻度Ｆ２（＝「１／２」）である。
【００７９】
これによって、偶数フレーム（＃２、＃４、＃６）では、セル２０のサイズは、セル設計などによって定められたサイズとなる。奇数フレーム（＃１、＃３、＃５、＃７）では、セル２０のサイズは、セル設計などによって定められたサイズよりも小さくなる。一方で、奇数フレームでは、ブロードキャスト信号が高伝送レートで送信されるため、図２及び図３で説明したように、下りバーストを割り当て可能な領域を増加することができる。
【００８０】
最後に、セル２０内の電波状態が所定閾値（Ｔｈ２）未満である場合について説明する。図１１に示すように、ブロードキャスト信号が高伝送レートで送信される頻度は、送信頻度Ｆ２（＝「１／３」）である。
【００８１】
これによって、３の倍数のフレーム（＃３、＃６）では、セル２０のサイズは、セル設計などによって定められたサイズとなる。３の倍数以外のフレーム（＃１、＃２、＃５、＃５、＃７）では、セル２０のサイズは、セル設計などによって定められたサイズよりも小さくなる。一方で、３の倍数以外のフレームでは、ブロードキャスト信号が高伝送レートで送信されるため、図２及び図３で説明したように、下りバーストを割り当て可能な領域を増加することができる。
【００８２】
第２実施形態では、ブロードキャスト信号の伝送レートが２段階で制御されるケースについて説明したが、これに限定されるものではない。ブロードキャスト信号の伝送レートは、３段階以上で制御されてもよいことは勿論である。
【００８３】
（基地局の動作）
以下において、第２実施形態に係る基地局の動作について、図面を参照しながら説明する。図１２は、第２実施形態に係る基地局１０の動作を示すフロー図である。
【００８４】
図１２に示すように、ステップ１１０において、基地局１０は、セル２０内の電波状態を測定する。
【００８５】
ステップ１２０において、基地局１０は、セル２０内の電波状態が所定閾値（Ｔｈ１）以上であるか否かを判定する。基地局１０は、電波状態が所定閾値（Ｔｈ１）以上である場合には、ステップ１４０の処理に移り、電波状態が所定閾値（Ｔｈ１）未満である場合には、ステップ１３０の処理に移る。
【００８６】
ステップ１３０において、基地局１０は、セル２０内の電波状態が所定閾値（Ｔｈ２）以上であるか否かを判定する。基地局１０は、電波状態が所定閾値（Ｔｈ２）以上である場合には、ステップ１５０の処理に移り、電波状態が所定閾値（Ｔｈ２）未満である場合には、ステップ１６０の処理に移る。
【００８７】
ステップ１４０において、基地局１０は、ブロードキャスト信号を高伝送レートで送信する頻度として、送信頻度Ｆ１（＝「０」）を設定する。
【００８８】
ステップ１５０において、基地局１０は、ブロードキャスト信号を高伝送レートで送信する頻度として、送信頻度Ｆ２（＞送信頻度Ｆ１）を設定する。
【００８９】
ステップ１６０において、基地局１０は、ブロードキャスト信号を高伝送レートで送信する頻度として、送信頻度Ｆ３（＞送信頻度Ｆ２、送信頻度Ｆ１）を設定する。
【００９０】
ステップ１７０において、基地局１０は、ステップ１４０〜ステップ１６０のいずれかで設定された頻度に従って、ブロードキャスト信号を高伝送レートで送信する。
【００９１】
ここで、上述した図２及び図３で例示したように、ブロードキャスト信号は、各移動局３０宛ての下りバーストとともに送信されることに留意すべきである。また、ブロードキャスト信号が高伝送レートで送信される頻度が高ければ高いほど、各移動局３０宛ての下りバーストを増加することが可能であることに留意すべきである。
【００９２】
第２実施形態では、基地局１０に設けられたスケジューラは、高伝送レートで送信されるブロードキャスト信号を含むフレーム内に、高伝送レートで送信されるブロードキャスト信号を受信可能な移動局３０（受信状態が良好な移動局３０）に対するデータのみを配置することに留意すべきである。高伝送レートで送信されるブロードキャスト信号を移動局３０が受信可能であるか否かについては、移動局３０から受信するデータの受信電力などによって判断することが可能である。
【００９３】
（作用及び効果）
第２実施形態に係る基地局１０によれば、基地局１０は、セル２０の電波状態が劣悪である場合に、高伝送レートでブロードキャスト信号を送信する頻度を増加する。
【００９４】
ここで、受信状態が良好な移動局３０及び受信状態が劣悪な移動局３０の双方にデータを送信する場合には、ブロードキャスト信号の全てを低伝送レートで送信する必要がある。
【００９５】
第２実施形態に係る基地局１０によれば、セル２０の電波状態が劣悪である場合に、一部のフレームについて高伝送レートでブロードキャスト信号を送信することが可能であり、通信リソースを有効に用いることができる。
【００９６】
また、ブロードキャスト信号が周期的に低伝送レートで送信されるため、受信状態が劣悪な移動局３０（セル２０の端に位置する移動局３０）を収容することが可能である。
【００９７】
このように、基地局１０からの距離が遠い移動局３０が周期的に通信できなくなったとしても、基地局１０からの距離が近い移動局３０宛ての下りバーストに割り当て可能な領域を周期的に増加した方が、有限である通信リソースをセル２０全体として有効に用いることができる。
【００９８】
［第３実施形態］
以下において、第３実施形態に係る基地局１０について図面を参照しながら説明する。以下においては、上述した第１実施形態と第３実施形態との相違点について主として説明する。
【００９９】
具体的には、上述した第１実施形態では、ブロードキャスト信号の伝送レートは、セル内の電波状態に応じて制御される。これに対して、第３実施形態では、ブロードキャスト信号の伝送レートは、システム負荷に応じて制御される。
【０１００】
（基地局の構成）
以下において、第３実施形態に係る基地局の構成について、図面を参照しながら説明する。図１３は、第３実施形態に係る基地局１０の構成を示すブロック図である。なお、図１３では、上述した図４と同様の構成について同様の符号を付していることに留意すべきである。
【０１０１】
図１３に示すように、基地局１０は、受信部１１と、システム負荷判定部１２Ａと、伝送レート制御部１３Ａと、送信部１４と、送信バッファ１７とを有する。
【０１０２】
送信バッファ１７は、セル２０内に在圏する移動局３０に送信すべきデータを蓄積する。
【０１０３】
システム負荷判定部１２Ａは、送信バッファ１７に蓄積されたデータ量に応じて、システム負荷を判定する。具体的には、システム負荷判定部１２Ａは、送信バッファ１７に蓄積されたデータ量が所定閾値未満であれば、システム負荷が小さいと判定する。一方で、システム負荷判定部１２Ａは、送信バッファ１７に蓄積されたデータ量が所定閾値以上であれば、システム負荷が大きいと判定する。
【０１０４】
なお、システム負荷判定部１２Ａは、送信バッファ１７に蓄積された過去のデータ量の推移（バッファ量の履歴）に基づいてシステム負荷を判定してもよい。
【０１０５】
伝送レート制御部１３Ａは、システム負荷判定部１２Ａによって判定されたシステム負荷に応じて、ブロードキャスト信号の伝送レート（変調方法）を制御する。
【０１０６】
具体的には、伝送レート制御部１３Ａは、送信バッファ１７に蓄積されたデータ量が所定閾値（Ｔｈ４）未満である場合には、ブロードキャスト信号の伝送レート（変調方法）として、伝送レートＲ１（例えば、ＱＰＳＫ）を設定する。ここで、伝送レートＲ１は、セル設計などによって定められたセル２０のサイズを維持することが可能な伝送レートであることに留意すべきである。
【０１０７】
伝送レート制御部１３は、送信バッファ１７に蓄積されたデータ量が所定閾値（Ｔｈ４）以上所定閾値（Ｔｈ５）未満である場合には、ブロードキャスト信号の伝送レート（変調方法）として、伝送レートＲ１よりも高い伝送レートＲ２（例えば、８ＰＳＫ）を設定する。
【０１０８】
伝送レート制御部１３は、送信バッファ１７に蓄積されたデータ量が所定閾値（Ｔｈ５）以上である場合には、ブロードキャスト信号の伝送レート（変調方法）として、伝送レートＲ２よりも高い伝送レートＲ３（例えば、１６ＱＡＭ）を設定する。
【０１０９】
なお、システム負荷判定部１２Ａは、下り方向通信に対応するシステム負荷の判断にのみ送信バッファ１７を利用することが可能であるが、システム負荷判定部１２Ａは、上り方向通信に対応するシステム負荷の判断において、過去に行われた上り方向通信の履歴（データ伝送量）を用いてもよい。同様に、システム負荷判定部１２Ａは、下り方向通信に対応するシステム負荷の判断においても、過去に行われた下り方向通信の履歴（データ伝送量）を用いてもよい。システム負荷判定部１２Ａは、システム負荷の判断において、現在確立されているコネクションの状況（要求スループット、コネクション数）を用いてもよい。
【０１１０】
［第４実施形態］
以下において、第４実施形態に係る基地局１０について図面を参照しながら説明する。以下においては、上述した第２実施形態と第４実施形態との相違点について主として説明する。
【０１１１】
具体的には、上述した第２実施形態では、ブロードキャスト信号が高伝送レートで送信される頻度は、セル内の電波状態に応じて制御される。これに対して、第４実施形態では、ブロードキャスト信号が高伝送レートで送信される頻度は、システム負荷に応じて制御される。
【０１１２】
（基地局の構成）
以下において、第４実施形態に係る基地局の構成について、図面を参照しながら説明する。図１４は、第４実施形態に係る基地局１０の構成を示すブロック図である。なお、図１４では、上述した図７と同様の構成について同様の符号を付していることに留意すべきである。
【０１１３】
図１４に示すように、基地局１０は、受信部１１と、システム負荷判定部１２Ａと、送信部１４と、送信頻度制御部１５Ａと、伝送レート制御部１６Ａと、送信バッファ１７とを有する。
【０１１４】
送信バッファ１７は、セル２０内に在圏する移動局３０に送信すべきデータを蓄積する。
【０１１５】
システム負荷判定部１２Ａは、送信バッファ１７に蓄積されたデータ量に応じて、システム負荷を判定する。具体的には、システム負荷判定部１２Ａは、送信バッファ１７に蓄積されたデータ量が所定閾値未満であれば、システム負荷が小さいと判定する。一方で、システム負荷判定部１２Ａは、送信バッファ１７に蓄積されたデータ量が所定閾値以上であれば、システム負荷が大きいと判定する。
【０１１６】
送信頻度制御部１５Ａは、システム負荷判定部１２Ａによって判定されたシステム負荷に応じて、ブロードキャスト信号を高伝送レートで送信する頻度を制御する。
【０１１７】
具体的には、送信頻度制御部１５Ａは、送信バッファ１７に蓄積されたデータ量が所定閾値（Ｔｈ４）未満である場合には、ブロードキャスト信号を高伝送レートで送信する頻度として、送信頻度Ｆ１（＝「０」）を設定する。すなわち、ブロードキャスト信号の全ては、低伝送レートで送信される。ここで、低伝送レートは、セル設計などによって定められたセル２０のサイズを維持することが可能な伝送レートであることに留意すべきである。
【０１１８】
送信頻度制御部１５Ａは、送信バッファ１７に蓄積されたデータ量が所定閾値（Ｔｈ４）以上所定閾値（Ｔｈ５）未満である場合には、ブロードキャスト信号を高伝送レートで送信する頻度として、送信頻度Ｆ１よりも高い送信頻度Ｆ２を設定する。
【０１１９】
送信頻度制御部１５Ａは、送信バッファ１７に蓄積されたデータ量が所定閾値（Ｔｈ５）以上である場合には、ブロードキャスト信号を高伝送レートで送信する頻度として、送信頻度Ｆ２よりも高い送信頻度Ｆ３を設定する。
【０１２０】
伝送レート制御部１６Ａは、送信頻度制御部１５によって設定された頻度に応じて、低伝送レートと高伝送レートとを切り替える。
【０１２１】
第４実施形態では、第２実施形態と同様に、基地局１０に設けられたスケジューラは、高伝送レートで送信されるブロードキャスト信号を含むフレーム内に、高伝送レートで送信されるブロードキャスト信号を受信可能な移動局３０（受信状態が良好な移動局３０）に対するデータのみを配置することに留意すべきである。高伝送レートで送信されるブロードキャスト信号を移動局３０が受信可能であるか否かについては、移動局３０から受信するデータの受信電力などによって判断することが可能である。
【０１２２】
第４実施形態では、ブロードキャスト信号の伝送レートが２段階で制御されるケースについて説明したが、これに限定されるものではない。ブロードキャスト信号の伝送レートは、３段階以上で制御されてもよいことは勿論である。
【０１２３】
第４実施形態では、システム負荷判定部１２Ａは、下り方向通信に対応するシステム負荷の判断にのみ送信バッファ１７を利用することが可能であるが、システム負荷判定部１２Ａは、上り方向通信に対応するシステム負荷の判断において、過去に行われた上り方向通信の履歴（データ伝送量）を用いてもよい。同様に、システム負荷判定部１２Ａは、下り方向通信に対応するシステム負荷の判断においても、過去に行われた下り方向通信の履歴（データ伝送量）を用いてもよい。システム負荷判定部１２Ａは、システム負荷の判断において、現在確立されているコネクションの状況（要求スループット、コネクション数）を用いてもよい。
【０１２４】
［第５実施形態］
以下において、第５実施形態に係る基地局１０について図面を参照しながら説明する。第５実施形態は、上述した第４実施形態に第２実施形態を組み合わせた実施形態である。具体的には、第５実施形態では、ブロードキャスト信号が高伝送レートで送信される頻度は、セル内の電波状態及びシステム負荷に応じて制御される。
【０１２５】
（頻度制御方法）
以下において、第５実施形態に係る頻度制御方法について、図面を参照しながら説明する。図１５は、第５実施形態に係る頻度制御方法を示す図である。
【０１２６】
図１５に示すように、送信頻度制御部１５Ａは、セル２０内の電波状態が所定閾値（Ｔｈ１）未満（電波状態＝良好）であり、かつ、送信バッファ１７に蓄積されたデータ量が所定閾値（Ｔｈ４）未満（システム負荷＝小さい）である場合に、ブロードキャスト信号を高伝送レートで送信する頻度として、送信頻度Ｆ１（＝「０」）を設定する。
【０１２７】
送信頻度制御部１５Ａは、セル２０内の電波状態が所定閾値（Ｔｈ１）未満（電波状態＝良好）であり、かつ、送信バッファ１７に蓄積されたデータ量が所定閾値（Ｔｈ４）以上（システム負荷＝大きい）である場合に、ブロードキャスト信号を高伝送レートで送信する頻度として、送信頻度Ｆ２を設定する。
【０１２８】
送信頻度制御部１５Ａは、セル２０内の電波状態が所定閾値（Ｔｈ１）以上（電波状態＝劣悪）であり、かつ、送信バッファ１７に蓄積されたデータ量が所定閾値（Ｔｈ４）未満（システム負荷＝小さい）である場合に、ブロードキャスト信号を高伝送レートで送信する頻度として、送信頻度Ｆ２を設定する。
【０１２９】
送信頻度制御部１５Ａは、セル２０内の電波状態が所定閾値（Ｔｈ１）以上（電波状態＝劣悪）であり、かつ、送信バッファ１７に蓄積されたデータ量が所定閾値（Ｔｈ４）以上（システム負荷＝大きい）である場合に、ブロードキャスト信号を高伝送レートで送信する頻度として、送信頻度Ｆ３を設定する。
【０１３０】
［第６実施形態］
以下において、第６実施形態に係る基地局１０について図面を参照しながら説明する。以下においては、上述した実施形態と第６実施形態との相違点について主として説明する。
【０１３１】
具体的には、上述した実施形態では特に触れていないが、第６実施形態では、ブロードキャスト信号を高伝送レートで送信するタイミング及びブロードキャスト信号を低伝送レートで送信するタイミングは、複数の基地局１０間で調整される。
【０１３２】
（ブロードキャスト信号の送信タイミング）
以下において、第６実施形態に係るブロードキャスト信号の送信タイミングについて、図面を参照しながら説明する。図１６は、第６実施形態に係るブロードキャスト信号の送信タイミングを示す図である。なお、図１６では、一の基地局１０がブロードキャスト信号を送信する伝送レートと、一の基地局１０に隣接する他の基地局１０がブロードキャスト信号を送信する伝送レートとについて考える。
【０１３３】
図１６に示すように、時刻＃１を例に挙げると、一の基地局１０（例えば、セル２０Ａ）が伝送レートＲ１でブロードキャスト信号を送信している場合には、他の基地局１０（例えば、セル２０Ｂ）は、伝送レートＲ２でブロードキャスト信号を送信する。この時、高い伝送レートでブロードキャスト信号を送信する場合は、通常より小さい送信電力で送信を行うことにより、隣接セルに与える干渉量を低減することができる。さらに、上りリンクでのデータ伝送においては、送信電力の制御を行わなくても、隣接セルでセル端のユーザがデータの伝送をする際に、このセルでは、セル中心のユーザが伝送を行うことで隣接セルと自セルのユーザとの距離が長くなり、セル間干渉に対して耐性の低いユーザに対して与える干渉量を低減することが可能となる。
【０１３４】
同様に、時刻＃２を例に挙げると、一の基地局１０（例えば、セル２０Ａ）が伝送レートＲ１よりも高い伝送レートＲ２でブロードキャスト信号を送信している場合には、他の基地局１０（例えば、セル２０Ｂ）は、伝送レートＲ２でブロードキャスト信号を送信する。この時、高い伝送レートでブロードキャスト信号を送信する場合は、通常より小さい送信電力で送信を行うことにより、隣接セルに与える干渉量を低減することができる。さらに、上りリンクでのデータ伝送においては、送信電力の制御を行わなくても、隣接セルでセル端のユーザがデータの伝送をする際に、このセルでは、セル中心のユーザが伝送を行うことで隣接セルと自セルのユーザとの距離が長くなり、セル間干渉に対して耐性の低いユーザに対して与える干渉量を低減することが可能となる。
【０１３５】
一方で、時刻＃３を例に挙げると、一の基地局１０（例えば、セル２０Ａ）が伝送レートＲ３でブロードキャスト信号を送信している場合には、他の基地局１０（例えば、セル２０Ｂ）は、伝送レートＲ３でブロードキャスト信号を送信する。
【０１３６】
時刻＃１や時刻＃２のように、一の基地局１０が低伝送レート（伝送レートＲ１や伝送レートＲ２）でブロードキャスト信号を送信している場合に、他の基地局１０が伝送レートＲ２でブロードキャスト信号を送信することによって、上述したように、セル間干渉を抑制しながら、通信エリアの拡大を図ることができる。
【０１３７】
一方で、時刻＃３のように、一の基地局１０及び他の基地局１０が高伝送レート（伝送レートＲ３）でブロードキャスト信号を送信するタイミングが同じである場合には、リユースパーティション効果（"Ａｕｔｏｎｏｍｏｕｓ  ｒｅｕｓｅ  ｐａｒｔｉｔｉｏｎｉｎｇ  ｉｎ  ｃｅｌｌｕｌａｒ  ｓｙｓｔｅｍｓ”  Ｋａｎａｉ，  Ｔ．；  Ｖｅｈｉｃｕｌａｒ  Ｔｅｃｈｎｏｌｏｇｙ  Ｃｏｎｆｅｒｅｎｃｅ，  １９９２  ＩＥＥＥ  ４２ｎｄ  １０−１３  Ｍａｙ  １９９２  Ｐａｇｅ（ｓ）：７８２  −  ７８５  ｖｏｌ．２  Ｄｉｇｉｔａｌ  Ｏｂｊｅｃｔ  Ｉｄｅｎｔｉｆｉｅｒ  １０．１１０９／ＶＥＴＥＣ．１９９２．２４５３０８）が得られ、大きなエリア当たりのキャパシティを得ることができる。ただし、この場合、低い伝送レートで送信を行う場合については、フレーム内の実質的なリソース使用率を少なくする等で、他セルへ与える干渉量を低減する必要がある。
【０１３８】
［第７実施形態］
以下において、第７実施形態に係る基地局１０について図面を参照しながら説明する。以下においては、上述した実施形態と第７実施形態との相違点について主として説明する。
【０１３９】
具体的には、受信状態が良好な移動局３０（セル中央に位置する移動局３０）は、ブロードキャスト信号の伝送レートが伝送レートＲ１である場合だけではなくて、ブロードキャスト信号の伝送レートが伝送レートＲ２である場合にも、ブロードキャスト信号を受信することが可能である。
【０１４０】
第７実施形態では、セル中央に位置する移動局３０は、伝送レートＲ１で送信されたブロードキャスト信号に対応する応答信号（例えば、ＲＡＣＨ；Ｒａｎｄｏｍ  Ａｃｅｓｓ  Ｃｈａｎｎｅｌ）を送信せずに、伝送レートＲ２で送信されたブロードキャスト信号に対応する応答信号のみを送信する。
【０１４１】
（送信タイミングの制御）
以下において、第７実施形態に係る送信タイミングの制御について、図面を参照しながら説明する。図１７は、第７実施形態に係る送信タイミングの制御について説明するための図である。
【０１４２】
図１７に示すように、セル端に位置する移動局３０は、伝送レートが伝送レートＲ１である場合にのみ、ブロードキャスト信号を受信することが可能である。一方で、セル中央に位置する移動局３０は、伝送レートが伝送レートＲ１である場合だけではなくて、伝送レートが伝送レートＲ２である場合にも、ブロードキャスト信号を受信することが可能である。
【０１４３】
ここで、セル中央に位置する移動局３０は、伝送レートＲ１で送信されたブロードキャスト信号に対応する応答信号（例えば、ＲＡＣＨ）を送信せずに、伝送レートＲ２で送信されたブロードキャスト信号に対応する応答信号のみを送信する。すなわち、セル中央に位置する移動局３０は、図１７に示す「Ａ」に示すタイミングで応答信号を送信せずに、図１７に示す「Ｂ」のタイミングでのみ、応答信号を送信する。
【０１４４】
これによって、セル端に位置する移動局３０が送信する応答信号が、セル中央に位置する移動局３０が送信する応答信号と干渉することを抑制できる。
【０１４５】
なお、基地局１０は、セル中央に位置する移動局３０に対して、伝送レートＲ１で送信されるブロードキャスト信号に対応する応答信号の送信を制限してもよい。
【０１４６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１４７】
例えば、上述した第１実施形態では、ブロードキャスト信号の伝送レートの制御は、閾値判定によって段階的に行われるが、これに限定されるものではない。具体的には、ブロードキャスト信号の伝送レートの制御は、図１８に示すように、セル２０の電波状態が所定閾値（Ｔｈ１）を超えた場合に、ブロードキャスト信号の伝送レートが第１実施形態よりも細かい段階で上昇するように行われてもよい。
【０１４８】
上述した第２実施形態では、ブロードキャスト信号を高伝送レートで送信する頻度の制御は、閾値判定によって段階的に行われるが、これに限定されるものではない。具体的には、ブロードキャスト信号を高伝送レートで送信する頻度の制御は、図１９に示すように、セル２０の電波状態が所定閾値（Ｔｈ１）を超えた場合に、ブロードキャスト信号を高伝送レートで送信する頻度が第１実施形態よりも細かい段階で上昇するように行われてもよい。
【０１４９】
上述した実施形態では、セル２０のサイズを規定するブロードキャスト信号の一例として、ＤＬ−ＭＡＰ及びＵＬ−ＭＡＰを挙げたが、これに限定されるものではない。具体的には、セル２０のサイズを規定するブロードキャスト信号は、下りバーストや上りバーストについて物理層の特性を規定するＤＣＤ（Ｄｏｗｎｌｉｎｋ  Ｃｈａｎｎｅｌ  Ｄｉｓｃｒｉｐｔｏｒ）やＵＣＤ（Ｕｐｌｉｎｋ  Ｃｈａｎｎｅｌ  Ｄｉｓｃｒｉｐｔｏｒ）、ページング信号などであってもよい。
【０１５０】
上述した実施形態では、ブロードキャスト信号の送信パラメータの制御は、変調方法の制御によって行われる例を挙げているが、これに限定されるものではない。具体的には、ブロードキャスト信号の送信パラメータの制御は、ブロードキャスト信号の送信電力の制御によって行われてもよい。この場合において、基地局１０は、セル２０の輻輳状態（電波状態やシステム負荷）が良好である場合に、ブロードキャスト信号の送信電力として、セル設計などによって定められたセル２０のサイズを維持することが可能な高送信電力を設定する。一方で、基地局１０は、セル２０の輻輳状態（電波状態やシステム負荷）が劣悪である場合に、ブロードキャスト信号の送信電力として、高送信電力よりも低い低送信電力を設定する。
【０１５１】
これによって、セル２０の輻輳状態（電波状態やシステム負荷）が劣悪である場合に、セル設計などによって定められたサイズよりもセル２０のサイズが小さくなるため、他セルに対する干渉量を抑制することができる。
【０１５２】
ここで、セル２０の輻輳状態（電波状態やシステム負荷）が劣悪である場合には、基地局１０からの距離が遠い移動局３０が周辺セルに収容されるように周辺セルと連携し、基地局１０からの距離が近い移動局３０のみを対象としてデータの伝送を行う方が、システム全体として周波数利用効率を高めることができると考えられる。
【０１５３】
上述した実施形態では特に触れていないが、「セル２０の電波状態」とは、基地局１０（自局）と通信を行っている移動局３０に対応する電波状態であってもよく、基地局１０が管理するセル２０（自セル）内に在圏する移動局３０に対応する電波状態であってもよい。
【０１５４】
システム負荷は、自セル内に在圏する移動局３０に対応する負荷でけではなくて、周辺セルに在圏する移動局３０に対応する負荷が考慮されてもよい。
【図面の簡単な説明】
【０１５５】
【図１】第１実施形態に係る通信システムの概略を示す図である。
【図２】第１実施形態に係るフレーム構成の一例を示す図である。
【図３】第１実施形態に係るフレーム構成の一例を示す図である。
【図４】第１実施形態に係る基地局の構成を示すブロック図である。
【図５】第１実施形態に係る伝送レート制御を説明するための図である。
【図６】第１実施形態に係る基地局１０の動作を示すフロー図である。
【図７】第２実施形態に係る基地局の構成を示すブロック図である。
【図８】第２実施形態に係る送信頻度制御を説明するための図である。
【図９】第２実施形態に係る送信頻度制御の概念を示す図である。
【図１０】第２実施形態に係る送信頻度制御の概念を示す図である。
【図１１】第２実施形態に係る送信頻度制御の概念を示す図である。
【図１２】第２実施形態に係る基地局１０の動作を示すフロー図である。
【図１３】第３実施形態に係る基地局の構成を示すブロック図である。
【図１４】第４実施形態に係る基地局の構成を示すブロック図である。
【図１５】第５実施形態に係る頻度制御方法を示す図である。
【図１６】第６実施形態に係るブロードキャスト信号の送信タイミングを示す図である。
【図１７】第７実施形態に係る上り方向信号の送信タイミングを示す図である。
【図１８】その他の実施形態に係る伝送レート制御を説明するための図である。
【図１９】その他の実施形態に係る送信頻度制御を説明するための図である。
【符号の説明】
【０１５６】
１０・・・基地局、１１・・・受信部、１２・・・電波状態測定部、１３・・・伝送レート制御部、１４・・・送信部、１５・・・送信頻度制御部、１６・・・伝送レート制御部、２０・・・セル、３０・・・移動局
【図１】
2008258971.tif 000003
【図２】
2008258971.tif 000004
【図３】
2008258971.tif 000005
【図４】
2008258971.tif 000006
【図５】
2008258971.tif 000007
【図６】
2008258971.tif 000008
【図７】
2008258971.tif 000009
【図８】
2008258971.tif 000010
【図９】
2008258971.tif 000011
【図１０】
2008258971.tif 000012
【図１１】
2008258971.tif 000013
【図１２】
2008258971.tif 000014
【図１３】
2008258971.tif 000015
【図１４】
2008258971.tif 000016
【図１５】
2008258971.tif 000017
【図１６】
2008258971.tif 000018
【図１７】
2008258971.tif 000019
【図１８】
2008258971.tif 000020
【図１９】
2008258971.tif 000021